(57)【要約】【課題】読者が電子新聞または電子書籍等を見ただけで、一瞬にしてそれが新聞であるのか小説等であるのかの区別をつけることができ、読者の読みやすさを追及した編集作業の結果を反映することができ、編集作業の結果としてのレイアウトを反映することができるコンテンツ作成プログラム、コンテンツ表示プログラム、コンテンツ作成方法およびコンテンツ表示方法等を提供する。【解決手段】テキストデータではなく元の新聞紙面そのものの画像データまたは元の書籍の版面そのものの画像データを画像情報記録部３３に記録しておき、この画像データに基づいてコンテンツを作成する。画像表示部２７は、このコンテンツに基づいて画像データを表示する。枠表示部２９は、記載事項選択部２８で選択させた記載事項を所定の枠で囲んで表示することができる。拡大表示部３０は、枠表示部３０で所定の枠で囲んで表示された記事等を拡大して表示することができる。【選択図】　図１
2004094410.tif 000002
【特許請求の範囲】
【請求項１】
印刷物を電子画像化した画像データからコンテンツを作成するコンテンツ作成プログラムであって、該画像データは画像情報記録部に記録され、該コンテンツはコンテンツ記録部に記録されるものであり、コンピュータを、
前記画像情報記録部に記録された画像データのページ数とページ内の記載事項数とを含むページ情報を入力させるページ情報入力手段、
前記ページ情報入力手段によりページ情報を入力させた画像データについて、当該画像データのページ内の記載事項が当該ページ内に配置された位置を示すページ内位置情報を入力させるページ内位置情報入力手段、
前記ページ情報入力手段によりページ情報を入力させた画像データを前記画像情報記録部から入力する画像データ入力手段、
前記画像データ入力手段により入力した画像データを圧縮画像化する圧縮画像化手段、
前記ページ情報入力手段により入力させた画像データのページ情報と、前記ページ内位置情報入力手段で入力させたページ内位置情報と、前記圧縮画像化手段で圧縮画像化された画像データとを暗号化してコンテンツを作成する暗号化手段、
前記暗号化手段により作成されたコンテンツを前記コンテンツ記録部に記録するコンテンツ保存手段
として機能させるためのコンテンツ作成プログラム。
【請求項２】
請求項１記載のコンテンツ作成プログラムにおいて、前記画像データのページ内の記載事項を拡大した記載事項画像データを作成する記載事項画像データ作成手段をさらに備え、
前記圧縮画像化手段は、前記画像データ入力手段で入力した画像データと前記記載事項画像データ作成手段で作成した記載事項画像データとを圧縮画像化することを特徴とするコンテンツ作成プログラム。
【請求項３】
請求項１または２記載のコンテンツ作成プログラムにおいて、前記印刷物は新聞であり、前記記載事項は記事であり、前記ページ内位置情報は記事の版組上の位置情報であることを特徴とするコンテンツ作成プログラム。
【請求項４】
印刷物を電子画像化した画像データに基づいて作成されたコンテンツを表示するコンテンツ表示プログラムであって、前記コンテンツはコンテンツ記録部に記録され、該コンテンツは、前記画像データのページ数とページ内の記載事項数とを含むページ情報と、当該画像データのページ内の記載事項が当該ページ内に配置された位置を示すページ内位置情報と、前記画像データを圧縮画像化した圧縮画像データとを暗号化して作成されており、コンピュータを、前記コンテンツ記録部に記録されたコンテンツを入力するコンテンツ入力手段、
前記コンテンツ入力手段により入力したコンテンツを復号化して、ページ情報とページ内位置情報と圧縮画像データとを取り出す復号化手段、
前記復号化手段により取り出されたページ情報およびページ内位置情報を記載事項情報記録部に記録する記載事項情報保存手段、
前記復号化手段により取り出された圧縮画像データを展開する画像展開手段、前記画像展開手段で展開された画像データを画像情報記録部に記録する画像情報保存手段、
前記記載事項情報記録部に記録されたページ情報およびページ内位置情報と、前記画像情報記録部に記録された画像データとに基づき、電子画像化された印刷物に応じた表示形態で当該画像データを表示する画像表示手段
として機能させるためのコンテンツ表示プログラム。
【請求項５】
請求項４記載のコンテンツ表示プログラムにおいて、
前記画像表示手段で表示された画像データのページ内の記載事項を選択させる記載事項選択手段と、
前記記載事項選択手段で選択させた記載事項を所定の枠で囲んで表示する枠表示手段とをさらに備えたことを特徴とするコンテンツ表示プログラム。
【請求項６】
請求項５記載のコンテンツ表示プログラムにおいて、
前記枠表示手段で所定の枠で囲んで表示された記載事項を拡大して表示する拡大表示手段をさらに備えたことを特徴とするコンテンツ表示プログラム。
【請求項７】
請求項６記載のコンテンツ表示プログラムにおいて、前記拡大表示手段は、所定の条件に合致する記載事項のみを拡大して表示することを特徴とするコンテンツ表示プログラム。
【請求項８】
請求項５または６記載のコンテンツ表示プログラムにおいて、前記ページ内位置情報は記載事項を識別する記載事項識別子をさらに含み、前記拡大表示手段は、該記載事項識別子に応じて記載事項を表示することを特徴とするコンテンツ表示プログラム。
【請求項９】
請求項６ないし８のいずれかに記載のコンテンツ表示プログラムにおいて、前記コンテンツ記録部に記録されたコンテンツの作成に用いられた圧縮画像データは、該画像データのページ内の記載事項を拡大し圧縮した記載事項画像データをさらに含み、前記復号化手段で取り出された圧縮画像データは前記記載事項画像データをさらに含み、前記画像展開手段で展開される圧縮画像データは前記記載事項画像データをさらに含み、前記画像情報保存手段で画像情報記録部に記録される画像データは前記記載事項画像データをさらに含むものであり、
前記拡大表示手段は、前記画像情報記録部に記録された記載事項画像データを用いて所定の枠で囲んで表示された記載事項を拡大して表示することを特徴とするコンテンツ表示プログラム。
【請求項１０】
請求項６ないし９のいずれかに記載のコンテンツ表示プログラムにおいて、前記拡大表示手段は、拡大して表示する記載事項と他の記載事項とを並列的に表示することを特徴とするコンテンツ表示プログラム。
【請求項１１】
請求項４ないし１０のいずれかに記載のコンテンツ表示プログラムにおいて、前記コンテンツ記録部に記録されたコンテンツの作成に用いられた圧縮画像データは、ウェブ・サイトへのリンクをさらに含み、前記画像表示手段および前記拡大表示手段は、当該リンクをアクセス可能に表示することを特徴とするコンテンツ表示プログラム。
【請求項１２】
請求項４ないし１１のいずれかに記載のコンテンツ表示プログラムにおいて、前記印刷物は新聞であり、前記記載事項は記事であり、前記ページ内位置情報は記事の版組上の位置情報であることを特徴とするコンテンツ表示プログラム。
【請求項１３】
請求項１ないし１２のいずれかに記載のプログラムを記録したコンピュータ読取り可能な記録媒体。
【請求項１４】
印刷物を電子画像化した画像データからコンテンツを作成するコンテンツ作成方法であって、
前記画像データは画像情報記録部に記録され、前記コンテンツはコンテンツ記録部に記録されるものであり、
前記画像情報記録部に記録された画像データのページ数とページ内の記載事項数とを含むページ情報を入力させるページ情報入力ステップと、
前記ページ情報入力ステップでページ情報を入力させた画像データについて、当該画像データのページ内の記載事項が当該ページ内に配置された位置を示すページ内位置情報を入力させるページ内位置情報入力ステップと、
前記ページ情報入力ステップでページ情報を入力させた画像データを前記画像情報記録部から入力する画像データ入力ステップと、
前記画像データ入力ステップで入力した画像データを圧縮画像化する圧縮画像化ステップと、
前記ページ情報入力ステップで入力させた画像データのページ情報と、前記ページ内位置情報入力ステップで入力させたページ内位置情報と、前記圧縮画像化ステップで圧縮画像化された画像データとを暗号化してコンテンツを作成する暗号化ステップと、
前記暗号化ステップで作成されたコンテンツを前記コンテンツ記録部に記録するコンテンツ保存ステップとを備えたことを特徴とするコンテンツ作成方法。
【請求項１５】
請求項１４記載のコンテンツ作成方法において、前記画像データ入力ステップの後に、前記画像データのページ内の記載事項を拡大した記載事項画像データを作成する記載事項画像データ作成ステップをさらに備え、
前記圧縮画像化ステップは、前記画像データ入力ステップで入力した画像データと前記記載事項画像データ作成ステップで作成した記載事項画像データとを圧縮画像化することを特徴とするコンテンツ作成方法。
【請求項１６】
請求項１４または１５記載のコンテンツ作成方法において、前記印刷物は新聞であり、前記記載事項は記事であり、前記ページ内位置情報は記事の版組上の位置情報であることを特徴とするコンテンツ作成方法。
【請求項１７】
印刷物を電子画像化した画像データに基づいて作成されたコンテンツを表示するコンテンツ表示方法であって、
前記コンテンツはコンテンツ記録部に記録され、該コンテンツは、前記画像データのページ数とページ内の記載事項数とを含むページ情報と、当該画像データのページ内の記載事項が当該ページ内に配置された位置を示すページ内位置情報と、前記画像データを圧縮画像化した圧縮画像データとを暗号化して作成されており、
前記コンテンツ記録部に記録されたコンテンツを入力するコンテンツ入力ステップと、
前記コンテンツ入力ステップで入力したコンテンツを復号化して、ページ情報とページ内位置情報と圧縮画像データとを取り出す復号化ステップと、
前記復号化ステップで取り出されたページ情報およびページ内位置情報を記載事項情報記録部に記録する記載事項情報保存ステップと、
前記復号化ステップで取り出された圧縮画像データを展開する画像展開ステップと、
前記画像展開ステップで展開された画像データを画像情報記録部に記録する画像情報保存ステップと、
前記記載事項情報記録部に記録されたページ情報およびページ内位置情報と、前記画像情報記録部に記録された画像データとに基づき、電子画像化された印刷物に応じた表示形態で当該画像データを表示する画像表示ステップとを備えたことを特徴とするコンテンツ表示方法。
【請求項１８】
請求項１７記載のコンテンツ表示方法において、
前記画像表示ステップで表示された画像データのページ内の記載事項を選択させる記載事項選択ステップと、
前記記載事項選択ステップで選択させた記載事項を所定の枠で囲んで表示する枠表示ステップとをさらに備えたことを特徴とするコンテンツ表示方法。
【請求項１９】
請求項１８記載のコンテンツ表示方法において、
前記枠表示ステップで所定の枠で囲んで表示された記載事項を拡大して表示する拡大表示ステップをさらに備えたことを特徴とするコンテンツ表示方法。
【請求項２０】
請求項１９記載のコンテンツ表示方法において、前記拡大表示ステップは、所定の条件に合致する記載事項のみを拡大して表示することを特徴とするコンテンツ表示方法。
【請求項２１】
請求項１８または１９記載のコンテンツ表示方法において、前記ページ内位置情報は記載事項を識別する記載事項識別子をさらに含み、前記拡大表示ステップは、該記載事項識別子に応じて記載事項を表示することを特徴とするコンテンツ表示方法。
【請求項２２】
請求項１９ないし２１のいずれかに記載のコンテンツ表示方法において、前記コンテンツ記録部に記録されたコンテンツの作成に用いられた圧縮画像データは、該画像データのページ内の記載事項を拡大し圧縮した記載事項画像データをさらに含み、前記復号化ステップで取り出された圧縮画像データは前記記載事項画像データをさらに含み、前記画像展開ステップで展開される圧縮画像データは前記記載事項画像データをさらに含み、前記画像情報保存ステップで画像情報記録部に記録される画像データは前記記載事項画像データをさらに含むものであり、
前記拡大表示ステップは、前記画像情報記録部に記録された記載事項画像データを用いて所定の枠で囲んで表示された記載事項を拡大して表示することを特徴とするコンテンツ表示方法。
【請求項２３】
請求項１７ないし２２のいずれかに記載のコンテンツ表示方法において、前記コンテンツ記録部に記録されたコンテンツの作成に用いられた圧縮画像データは、ウェブ・サイトへのリンクをさらに含み、前記画像表示ステップおよび前記拡大表示ステップは、当該リンクをアクセス可能に表示することを特徴とするコンテンツ表示方法。
【請求項２４】
請求項１７ないし２３のいずれかに記載のコンテンツ表示方法において、前記印刷物は新聞であり、前記記載事項は記事であり、前記ページ内位置情報は記事の版組上の位置情報であることを特徴とするコンテンツ表示方法。
【発明の詳細な説明】
【０００１】
【発明の属する技術分野】
本発明は、コンテンツ作成プログラムおよびコンテンツ表示プログラム等に関し、特に、印刷物を電子画像化した画像データからコンテンツを作成するコンテンツ作成プログラムと、当該コンテンツを表示するコンテンツ表示プログラム等に関する。
【０００２】
【従来の技術】
近年、携帯パーソナル・コンピュータ（ＰＣ）、携帯情報端末（Ｐｅｒｓｏｎａｌ　ｄｉｇｉｔａｌ　Ａｓｓｉｓｔａｎｔｓ　：　ＰＤＡ）等の携帯情報端末機器を所有しているユーザが増加している。このようなユーザを対象として、ＰＣまたはＰＤＡ等を媒体とする電子新聞または電子書籍等の新たな出版サービスが生み出されている。
【０００３】
一般に、電子新聞または電子書籍をはじめとする文書または資料の電子化のメリットとしては、以下の点が考えられる。
１．インターネット等上で電子媒体として配布することが可能であるため、情報を配布する際の即時性があり、かつ距離感を意識させずに配布することが可能である。
２．電子化されているため、紙資源を節約することができ、かつ保管場所を縮小することが容易である。
【０００４】
【発明が解決しようとする課題】
しかし、従来の電子新聞または電子書籍等において、電子化されたデータは単に文字情報の表示にすぎなかった。このため上述のようなメリットがあるにもかかわらず、旧来から蓄積された新聞または書籍の文化の中では容易に普及することが困難であった。詳しくは、以下のような理由が考えられる。
【０００５】
新聞または出版業界では印刷用フォントを使用しているが、従来の電子新聞または電子書籍ではＰＣ用フォントを用いているため、新聞または書籍を読むという行為としてなじみにくいという問題があった。新聞には新聞社毎に独自の書体の印刷用フォントが使用されており、字間、行間または文字の大きさ等にも独自の工夫が凝らされている。書籍においても、歴史書、小説または教科書毎に長い年月を費やして開発デザインされてきた書体が使用されている。しかし、従来の電子新聞または電子書籍では新聞であるか他の書籍であるかによらず、すべて同一のＰＣ用フォントを用いていた。このため、読者は従来の電子新聞または電子書籍を見ただけでは、一瞬にしてそれが新聞であるのか小説等であるのかの区別をつけることができないという問題があった。
【０００６】
新聞または書籍は、基本的に「見開き」という単位で製作され編集されている。このため、タイトルの位置、写真またはイラストの位置、印刷されていない白地の部分とインクの載っている黒い部分とのバランス等が微妙な読みやすさのために追及されている。しかし、従来の電子新聞または電子書籍では、上述のような読みやすさを追及した編集作業の結果が反映されていないという問題があった。
【０００７】
上記編集作業の結果は例えば新聞紙面のレイアウトとして表現され、読者はこのレイアウトから記事の重要度を直感的に把握することができる。しかし、従来の電子新聞または電子書籍では上記編集作業の結果としてのレイアウトを反映することができないという問題があった。
【０００８】
そこで、本発明の第１の目的は、上記問題を解決するためになされたものであり、読者が電子新聞または電子書籍等を見ただけで、一瞬にしてそれが新聞であるのか小説等であるのかの区別をつけることができるコンテンツ作成プログラム、コンテンツ表示プログラム、コンテンツ作成方法およびコンテンツ表示方法等を提供することにある。
【０００９】
本発明の第２の目的は、電子新聞または電子書籍等に、読者の読みやすさを追及した編集作業の結果を反映することができるコンテンツ作成プログラム、コンテンツ表示プログラム、コンテンツ作成方法およびコンテンツ表示方法等を提供することにある。
【００１０】
本発明の第３の目的は、編集作業の結果としてのレイアウトを反映することができるコンテンツ作成プログラム、コンテンツ表示プログラム、コンテンツ作成方法およびコンテンツ表示方法等を提供することにある。
【００１１】
【課題を解決するための手段】
この発明のコンテンツ作成プログラムは、印刷物を電子画像化した画像データからコンテンツを作成するコンテンツ作成プログラムであって、該画像データは画像情報記録部に記録され、該コンテンツはコンテンツ記録部に記録されるものであり、コンピュータを、前記画像情報記録部に記録された画像データのページ数とページ内の記載事項数とを含むページ情報を入力させるページ情報入力手段、前記ページ情報入力手段によりページ情報を入力させた画像データについて、当該画像データのページ内の記載事項が当該ページ内に配置された位置を示すページ内位置情報を入力させるページ内位置情報入力手段、前記ページ情報入力手段によりページ情報を入力させた画像データを前記画像情報記録部から入力する画像データ入力手段、前記画像データ入力手段により入力した画像データを圧縮画像化する圧縮画像化手段、前記ページ情報入力手段により入力させた画像データのページ情報と、前記ページ内位置情報入力手段で入力させたページ内位置情報と、前記圧縮画像化手段で圧縮画像化された画像データとを暗号化してコンテンツを作成する暗号化手段、前記暗号化手段により作成されたコンテンツを前記コンテンツ記録部に記録するコンテンツ保存手段として機能させるためのコンテンツ作成プログラムである。
【００１２】
ここで、この発明のコンテンツ作成プログラムにおいて、前記画像データのページ内の記載事項を拡大した記載事項画像データを作成する記載事項画像データ作成手段をさらに備え、前記圧縮画像化手段は、前記画像データ入力手段で入力した画像データと前記記載事項画像データ作成手段で作成した記載事項画像データとを圧縮画像化することができる。
【００１３】
ここで、この発明のコンテンツ作成プログラムにおいて、前記印刷物は新聞であり、前記記載事項は記事であり、前記ページ内位置情報は記事の版組上の位置情報とすることができる。
【００１４】
この発明のコンテンツ表示プログラムは、印刷物を電子画像化した画像データに基づいて作成されたコンテンツを表示するコンテンツ表示プログラムであって、前記コンテンツはコンテンツ記録部に記録され、該コンテンツは、前記画像データのページ数とページ内の記載事項数とを含むページ情報と、当該画像データのページ内の記載事項が当該ページ内に配置された位置を示すページ内位置情報と、前記画像データを圧縮画像化した圧縮画像データとを暗号化して作成されており、コンピュータを、前記コンテンツ記録部に記録されたコンテンツを入力するコンテンツ入力手段、前記コンテンツ入力手段により入力したコンテンツを復号化して、ページ情報とページ内位置情報と圧縮画像データとを取り出す復号化手段、前記復号化手段により取り出されたページ情報およびページ内位置情報を記載事項情報記録部に記録する記載事項情報保存手段、前記復号化手段により取り出された圧縮画像データを展開する画像展開手段、前記画像展開手段で展開された画像データを画像情報記録部に記録する画像情報保存手段、前記記載事項情報記録部に記録されたページ情報およびページ内位置情報と、前記画像情報記録部に記録された画像データとに基づき、電子画像化された印刷物に応じた表示形態で当該画像データを表示する画像表示手段として機能させるためのコンテンツ表示プログラムである。
【００１５】
ここで、この発明のコンテンツ表示プログラムにおいて、前記画像表示手段で表示された画像データのページ内の記載事項を選択させる記載事項選択手段と、前記記載事項選択手段で選択させた記載事項を所定の枠で囲んで表示する枠表示手段とをさらに備えることができる。
【００１６】
ここで、この発明のコンテンツ表示プログラムにおいて、前記枠表示手段で所定の枠で囲んで表示された記載事項を拡大して表示する拡大表示手段をさらに備えることができる。
【００１７】
ここで、この発明のコンテンツ表示プログラムにおいて、前記拡大表示手段は、所定の条件に合致する記載事項のみを拡大して表示することができる。
【００１８】
ここで、この発明のコンテンツ表示プログラムにおいて、前記ページ内位置情報は記載事項を識別する記載事項識別子をさらに含み、前記拡大表示手段は、該記載事項識別子に応じて記載事項を表示することができる。
【００１９】
ここで、この発明コンテンツ表示プログラムにおいて、前記コンテンツ記録部に記録されたコンテンツの作成に用いられた圧縮画像データは、該画像データのページ内の記載事項を拡大し圧縮した記載事項画像データをさらに含み、前記復号化手段で取り出された圧縮画像データは前記記載事項画像データをさらに含み、前記画像展開手段で展開される圧縮画像データは前記記載事項画像データをさらに含み、前記画像情報保存手段で画像情報記録部に記録される画像データは前記記載事項画像データをさらに含むものであり、前記拡大表示手段は、前記画像情報記録部に記録された記載事項画像データを用いて所定の枠で囲んで表示された記載事項を拡大して表示することができる。
【００２０】
ここで、この発明のコンテンツ表示プログラムにおいて、前記拡大表示手段は、拡大して表示する記載事項と他の記載事項とを並列的に表示することができる。
【００２１】
ここで、この発明のコンテンツ表示プログラムにおいて、前記コンテンツ記録部に記録されたコンテンツの作成に用いられた圧縮画像データは、ウェブ・サイトへのリンクをさらに含み、前記画像表示手段および前記拡大表示手段は、当該リンクをアクセス可能に表示することができる。
【００２２】
ここで、この発明のコンテンツ表示プログラムにおいて、前記印刷物は新聞であり、前記記載事項は記事であり、前記ページ内位置情報は記事の版組上の位置情報とすることができる。
【００２３】
この発明のプログラムは、本発明のプログラム（請求項１ないし１２のいずれかに記載のプログラム）を記録したコンピュータ読取り可能な記録媒体である。
【００２４】
この発明のコンテンツ作成方法は、印刷物を電子画像化した画像データからコンテンツを作成するコンテンツ作成方法であって、前記画像データは画像情報記録部に記録され、前記コンテンツはコンテンツ記録部に記録されるものであり、前記画像情報記録部に記録された画像データのページ数とページ内の記載事項数とを含むページ情報を入力させるページ情報入力ステップと、前記ページ情報入力ステップでページ情報を入力させた画像データについて、当該画像データのページ内の記載事項が当該ページ内に配置された位置を示すページ内位置情報を入力させるページ内位置情報入力ステップと、前記ページ情報入力ステップでページ情報を入力させた画像データを前記画像情報記録部から入力する画像データ入力ステップと、前記画像データ入力ステップで入力した画像データを圧縮画像化する圧縮画像化ステップと、前記ページ情報入力ステップで入力させた画像データのページ情報と、前記ページ内位置情報入力ステップで入力させたページ内位置情報と、前記圧縮画像化ステップで圧縮画像化された画像データとを暗号化してコンテンツを作成する暗号化ステップと、前記暗号化ステップで作成されたコンテンツを前記コンテンツ記録部に記録するコンテンツ保存ステップとを備えたことを特徴とする。
【００２５】
ここで、この発明のコンテンツ作成方法において、前記画像データ入力ステップの後に、前記画像データのページ内の記載事項を拡大した記載事項画像データを作成する記載事項画像データ作成ステップをさらに備え、前記圧縮画像化ステップは、前記画像データ入力ステップで入力した画像データと前記記載事項画像データ作成ステップで作成した記載事項画像データとを圧縮画像化することができる。
【００２６】
ここで、この発明のコンテンツ作成方法において、前記印刷物は新聞であり、前記記載事項は記事であり、前記ページ内位置情報は記事の版組上の位置情報とすることができる。
【００２７】
この発明のコンテンツ表示方法は、印刷物を電子画像化した画像データに基づいて作成されたコンテンツを表示するコンテンツ表示方法であって、前記コンテンツはコンテンツ記録部に記録され、該コンテンツは、前記画像データのページ数とページ内の記載事項数とを含むページ情報と、当該画像データのページ内の記載事項が当該ページ内に配置された位置を示すページ内位置情報と、前記画像データを圧縮画像化した圧縮画像データとを暗号化して作成されており、前記コンテンツ記録部に記録されたコンテンツを入力するコンテンツ入力ステップと、前記コンテンツ入力ステップで入力したコンテンツを復号化して、ページ情報とページ内位置情報と圧縮画像データとを取り出す復号化ステップと、前記復号化ステップで取り出されたページ情報およびページ内位置情報を記載事項情報記録部に記録する記載事項情報保存ステップと、前記復号化ステップで取り出された圧縮画像データを展開する画像展開ステップと、前記画像展開ステップで展開された画像データを画像情報記録部に記録する画像情報保存ステップと、前記記載事項情報記録部に記録されたページ情報およびページ内位置情報と、前記画像情報記録部に記録された画像データとに基づき、電子画像化された印刷物に応じた表示形態で当該画像データを表示する画像表示ステップとを備えたことを特徴とする。
【００２８】
ここで、この発明のコンテンツ表示方法において、前記画像表示ステップで表示された画像データのページ内の記載事項を選択させる記載事項選択ステップと、前記記載事項選択ステップで選択させた記載事項を所定の枠で囲んで表示する枠表示ステップとをさらに備えることができる。
【００２９】
ここで、この発明のコンテンツ表示方法において、前記枠表示ステップで所定の枠で囲んで表示された記載事項を拡大して表示する拡大表示ステップをさらに備えることができる。
【００３０】
ここで、この発明のコンテンツ表示方法において、前記拡大表示ステップは、所定の条件に合致する記載事項のみを拡大して表示することができる。
【００３１】
ここで、この発明のコンテンツ表示方法において、前記ページ内位置情報は記載事項を識別する記載事項識別子をさらに含み、前記拡大表示ステップは、該記載事項識別子に応じて記載事項を表示することができる。
【００３２】
ここで、この発明のコンテンツ表示方法において、前記コンテンツ記録部に記録されたコンテンツの作成に用いられた圧縮画像データは、該画像データのページ内の記載事項を拡大し圧縮した記載事項画像データをさらに含み、前記復号化ステップで取り出された圧縮画像データは前記記載事項画像データをさらに含み、前記画像展開ステップで展開される圧縮画像データは前記記載事項画像データをさらに含み、前記画像情報保存ステップで画像情報記録部に記録される画像データは前記記載事項画像データをさらに含むものであり、前記拡大表示ステップは、前記画像情報記録部に記録された記載事項画像データを用いて所定の枠で囲んで表示された記載事項を拡大して表示することができる。
【００３３】
ここで、この発明のコンテンツ表示方法において、前記コンテンツ記録部に記録されたコンテンツの作成に用いられた圧縮画像データは、ウェブ・サイトへのリンクをさらに含み、前記画像表示ステップおよび前記拡大表示ステップは、当該リンクをアクセス可能に表示することができる。
【００３４】
ここで、この発明のコンテンツ表示方法において、前記印刷物は新聞であり、前記記載事項は記事であり、前記ページ内位置情報は記事の版組上の位置情報とすることができる。
【００３５】
【発明の実施の形態】
以下、各実施の形態について図面を参照して詳細に説明する。
【００３６】
実施の形態１．
図１は、本発明の実施の形態１におけるコンテンツ作成プログラムまたは方法、コンテンツ表示プログラムまたは方法を実行する環境の概要を示す。図１において、符号１は新聞または書籍等の印刷物を発行する新聞社・出版社側センタであり、上記印刷物を電子画像化した電子新聞または電子書籍（以下、「電子新聞等」という）の画像データからコンテンツを作成するコンテンツ作成サーバ２と、当該コンテンツを配信するコンテンツ配信サーバ１４と、ルータ１５とを有している。コンテンツ作成サーバ２は、上記画像データが記録された画像情報記録部１２と記事に関連する情報が記録された記事情報データベース（ＤＢ）１３とを用いて、メモリ（不図示）上に記録されたコンテンツ作成プログラム３を実行することによりコンテンツを作成する。画像情報記録部１２は、例えば電子新聞であれば、従来のようにテキストデータではなく元の新聞紙面そのものを画像データとして持つことができ、電子書籍であれば元の書籍の版面そのものを画像データとして持つことができる。作成したコンテンツはコンテンツ記録部１１に記録される。コンテンツ配信サーバ１４はコンテンツ記録部１１に記録されたコンテンツを、ルータ１５とノード３６とインターネット等のネットワーク３５とを介して外部のコンピュータへ配信する。
【００３７】
以下、コンテンツ作成プログラム３の機能について説明する。コンテンツ作成プログラム３のページ情報入力部（ページ情報入力手段）４は、画像情報記録部１２に記録された画像データのページ数と各ページ内の記載事項（以下、「記事等」という）の数とを含むページ情報を入力させる。
【００３８】
ページ内位置情報入力部（ページ内位置情報入力手段）５は、ページ情報入力部４によりページ情報を入力させた画像データについて、その画像データのページ内の記事等がそのページ内に配置された位置を示すページ内位置情報を入力させる。ページ内位置情報とは記事等の版組上の位置情報である。例えば記事等の全体を囲む枠の頂点がＡ（Ｘａ、Ｙａ）、Ｂ（Ｘｂ、Ｙｂ）、Ｃ（Ｘｃ、Ｙｃ）、Ｄ（Ｘｄ、Ｙｄ）およびＥ（Ｘｅ、Ｙｅ）｝（ここで、Ｘａ、Ｙａ等は各々ページ内における２次元座標）から構成される場合、各頂点座標｛Ａ（Ｘａ、Ｙａ）、Ｂ（Ｘｂ、Ｙｂ）、Ｃ（Ｘｃ、Ｙｃ）、Ｄ（Ｘｄ、Ｙｄ）、Ｅ（Ｘｅ、Ｙｅ）｝群の情報が記事等の位置情報である。
【００３９】
画像データ入力部（画像データ入力手段）６は、ページ情報入力部４によりページ情報を入力させた画像データを画像情報記録部１２から入力する。圧縮画像化部（圧縮画像化手段）７は、画像データ入力部６により入力した画像データを圧縮画像化する。画像圧縮には例えばＪＰＥＧ（Ｊｏｉｎｔ　Ｐｈｏｔｏｇｒａｐｈｉｃ　ｃｏｄｉｎｇ　Ｅｘｐｅｒｔｓ　Ｇｒｏｕｐ）方式を用いることができる。他の方法を用いても良いことはもちろんである。
【００４０】
暗号化部（暗号化手段）８は、ページ情報入力部４により入力させた画像データのページ情報と、ページ内位置情報入力部５で入力させたページ内位置情報と、圧縮画像化部７で圧縮画像化された画像データとを暗号化してコンテンツを作成する。暗号化としては種々の方法を用いることができる。例えば公開鍵暗号方法のように、暗号化鍵と復号化鍵とが異なり、暗号化鍵を公開鍵として公開する一方で、復号化鍵を秘密鍵として秘密に保つ暗号化方法を用いることもできる。コンテンツ保存部（コンテンツ保存手段）９は、暗号化部８により作成されたコンテンツをコンテンツ記録部１１に記録する。
【００４１】
記載事項画像データ作成部（記載事項画像データ作成手段）１０は、画像データの各ページ内の記事等を切り出して拡大した記載事項画像データを作成する。後述するように本発明のコンテンツ表示プログラムは特定の記事等のみを拡大して表示することができる。この場合、表示の度に１ページの画像データから特定の記事等を切り出して拡大した画像データを作成して表示することもできる。一方、予め１ページの画像データから特定の記事等を切り出して拡大した記事等の画像データ（記載事項画像データ）を作成しておき、後で拡大表示させる場合は単にこの拡大した記事等の画像データ（記載事項画像データ）をそのまま表示させることもできる。予め記載事項画像データ作成部１０により拡大した記事等の画像データを作成する場合、圧縮画像化部７は、画像データ入力部６で入力した画像データと記載事項画像データ作成部１０で作成した記載事項画像データとを圧縮画像化することができる。
【００４２】
次に、ユーザ端末側について説明する。図１において、符号２０はコンテンツ配信サーバ１４により配信されたコンテンツを表示させるユーザ端末であり、ネットワーク３５とはインタフェース（Ｉ／Ｆ）部３４を介して接続されている。ユーザ端末２０は、上述のようにコンテンツ配信サーバ１４から配信されたコンテンツが記録されたコンテンツ記録部３１と、記事等に関連する情報が記録された記載事項情報記録部３２と、画像情報が記録された画像情報記録部３３とを用いて、メモリ（不図示）上に記録されたコンテンツ表示プログラム２１を実行することによりコンテンツをディスプレイ（不図示）等に表示する。
【００４３】
以下、コンテンツ表示プログラム２１の機能について説明する。コンテンツ表示プログラム２１のコンテンツ入力部（コンテンツ入力手段）２２は、コンテンツ記録部３１に記録されたコンテンツを入力する。
【００４４】
復号化部（復号化手段）２３は、コンテンツ入力部２２により入力したコンテンツを復号化して、ページ情報とページ内位置情報と圧縮画像データとを取り出す。記載事項情報保存部（記載事項情報保存手段）２４は、復号化部２３により取り出されたページ情報およびページ内位置情報を記載事項情報記録部３２に記録する。画像展開部（画像展開手段）２５は、復号化部２３により取り出された圧縮画像データを展開する。画像情報保存部（画像情報保存手段）２６は、画像展開部２５で展開された画像データを画像情報記録部３３に記録する。
【００４５】
画像表示部（画像表示手段）２７は、記載事項情報記録部３２に記録されたページ情報およびページ内位置情報と、画像情報記録部３３に記録された画像データとに基づき、その画像データに電子画像化された印刷物に応じた表示形態で画像データを表示することができる。画像情報記録部３３に記録された画像データは、上述のように例えば電子新聞であれば、従来のようにテキストデータではなく元の新聞紙面そのものであり、電子書籍であれば元の書籍の版面そのものである。したがって、画像表示部２７は、例えば電子新聞であれば元の紙面をそのまま見開きの状態で表示することができるため、ユーザは元の新聞紙面の全体のレイアウトを容易に確認することができる。電子書籍であれば元の書籍の版面そのものを表示することができるため、ユーザは元の書籍の版面の全体のレイアウトを容易に確認することができる。上述の見開きの状態では細部の文字等は小さく表示されるため、ユーザは見出し程度は見ることができるが本文自体を見ることはできない。
【００４６】
記載事項選択部（記載事項選択手段）２８は、画像表示部２７により表示された画像データの各ページ内の記事等を選択させることができる。具体的には、ユーザがマウス等のポインティング・デバイスによりカーソルを特定の記事等の領域上へ移動させた場合、その特定の記事等を選択させることができる。枠表示部（枠表示手段）２９は、記載事項選択部２８で選択させた記載事項を所定の枠で囲んで表示することができる。特定の記事等の領域は、記載事項情報記録部３２に記録された当該記事等のページ情報とページ内位置情報とを用いることにより決定できる。ページ内位置情報は、例えば上述のように記事等の全体を囲む枠の各頂点座標｛Ａ（Ｘａ、Ｙａ）、Ｂ（Ｘｂ、Ｙｂ）、Ｃ（Ｘｃ、Ｙｃ）、Ｄ（Ｘｄ、Ｙｄ）、Ｅ（Ｘｅ、Ｙｅ）｝等の情報であるため、カーソルの座標（Ｘ、Ｙ）と比較することにより、カーソルが特定の記事等の領域内にあるかどうかを決定することができる。
【００４７】
拡大表示部（拡大表示手段）３０は、枠表示部２９で所定の枠で囲んで表示された記事等を拡大して表示することができる。拡大は、ユーザがマウス等のボタンをクリックすることにより行うことができる。マウス等のボタンをクリックしなくても、記事等が所定の枠で囲んで表示された場合に自動的に拡大表示しても良い。拡大表示部３０は、拡大して表示する記事等と他の記事等とを並列的に表示することができる。例えば、ディスプレイ中に表示されるウィンドウを左右に２分割し、右側のウィンドウに１ページの新聞紙面全体を表示すると共に、左側のウィンドウに上述のように選択された記事等を拡大して表示することができる。拡大した画像が左側のウィンドウに表示しきれない場合は、適宜左右上下にスクロールして表示することもできる。ディスプレイへの表示は必ずしも左右に２分割するだけではなく、上下２分割であってもよい。あるいは拡大率を選択させることにより、種々の拡大率のウィンドウを３つ以上並列的に表示し、３分割以上の表示とすることもできる。
【００４８】
拡大表示部３０は、所定の条件に合致する記事等のみを拡大して表示することができる。例えば、著作権等に関する契約により記事等の著作者が電子化を許諾していない場合、または連載小説等のように新聞社側に著作権がない場合、これらの記事等がカーソルにより選択されたとしても拡大表示は行わないようにすることができる。この結果、電子新聞等において著作権等を有効に保護することもできる。拡大表示部３０は、例えば上述のように左右２分割に表示する場合、所定の条件に合致し拡大表示可能な記事等を例えば青色の枠で囲んで右側のウィンドウに表示すると共に、当該記事等が左側のウィンドウに拡大表示された場合は、右側のウィンドウにおいて、拡大された記事等を例えば赤色の枠で囲み直して表示することができる。枠の色は青色または赤色に限定されるものではなく、他の色を用いてもよいことはもちろんである。右側のウィンドウにおいて、拡大された記事等を色の異なる枠で表示する替わりに、反転表示してもよい。
【００４９】
記載事項情報記録部３２に記録されたページ内位置情報に記事等の内容を識別する記載事項識別子をさらに含ませておくこともできる。ここで記事等の内容とは、例えば普通の事件記事、テレビ等の番組表または株価欄等のような内容である。拡大表示部３０は、この記載事項識別子に応じて記事等を表示することができる。例えば、上述のように左右２分割に表示する場合、普通の事件記事であれば、その記事等の右上（の頂点）が左側のウィンドウの右上に合うように拡大して表示することができる。テレビ等の番組表または株価欄等であれば、右側のウィンドウにおける現在のカーソルの位置を中心にして左側のウィンドウに拡大して表示することができる。
【００５０】
コンテンツ記録部３１に記録された圧縮画像データは、上述のように画像データのページ内の記事等を予め拡大し圧縮した記載事項画像データをさらに含む場合もある。この場合、復号化部２３で取り出された圧縮画像データは記事等の記載事項画像データをさらに含むこととなり、画像展開部２５で展開される圧縮画像データは上記記事等の記載事項画像データをさらに含み、画像情報保存部２６により画像情報記録部３３に記録される画像データは上記記事等の記載事項画像データをさらに含むことになる。以上のように予め拡大された記事等の画像データを用いることにより、拡大表示部３０は所定の枠で囲んで表示された記載事項を速く拡大して表示することもできる。
【００５１】
コンテンツ配信サーバ１４から配信された圧縮画像データに、ウェブ・サイトへのリンクをさらに埋め込んでおくこともできる。この場合、画像表示部２７および拡大表示部３０は、このリンクをアクセス可能に表示することができる。例えば電子新聞等の広告記事にリンク等の種々のデータを埋め込んでおくことにより、ユーザ端末２０のユーザは、ウェブ・サイトへのリンクまたは動画コマーシャルの表示等の閲覧を行うことができる。
【００５２】
図２は、本発明の実施の形態１におけるコンテンツ作成プログラムまたは方法の処理をフローチャートで示す。図２に示されるように、まず、画像情報記録部１２に記録された画像データのページ数とページ内の記載事項数（記事等の数）とを含むページ情報を入力させる（ステップＳ１０。ページ情報入力ステップ）。次に、ページ情報入力ステップ（ステップＳ１０）でページ情報を入力させた画像データについて、その画像データのページ内の記事等の数がそのページ内に配置された位置を示すページ内位置情報を入力させる（ステップＳ１２。ページ内位置情報入力ステップ）。
【００５３】
ページ情報入力ステップ（ステップＳ１０）でページ情報を入力させた画像データを画像情報記録部１２から入力する（ステップＳ１４。画像データ入力ステップ）。続いて、画像データ入力ステップ（ステップＳ１４）で入力した画像データを圧縮画像化する（ステップＳ１６。圧縮画像化ステップ）。
【００５４】
ページ情報入力ステップ（ステップＳ１０）で入力させた画像データのページ情報と、ページ内位置情報入力ステップ（ステップＳ１２）で入力させたページ内位置情報と、圧縮画像化ステップ（ステップＳ１６）で圧縮画像化された画像データとを暗号化してコンテンツを作成する（ステップＳ１８。暗号化ステップ）。最後に、暗号化ステップ（ステップＳ１８）で作成されたコンテンツをコンテンツ記録部１１に記録する（ステップＳ２０。コンテンツ保存ステップ）。
【００５５】
上述の画像データ入力ステップ（ステップＳ１４）の後に、画像データのページ内の記事等を拡大した記事等の画像データを作成する記載事項画像データ作成ステップ（ステップＳ２５）をさらに備えることもできる。これにより、圧縮画像化ステップ（ステップＳ１６）は、画像データ入力ステップ（ステップＳ１４）で入力した画像データと記載事項画像データ作成ステップ（ステップＳ２５）で作成した記載事項画像データとを圧縮画像化することができる。これは、上述のように、予め１ページの画像データから特定の記事等を切り出して拡大した記事等の画像データ（記載事項画像データ）を作成しておき、後で拡大表示させる場合は単にこの拡大した記事等の画像データ（記載事項画像データ）をそのまま表示させるためである。
【００５６】
図３は、本発明の実施の形態１におけるコンテンツ表示プログラムまたは方法の処理をフローチャートで示す。図３に示されるように、まずコンテンツ記録部３１に記録されたコンテンツを入力する（ステップＳ５０。コンテンツ入力ステップ）。次に、コンテンツ入力ステップ（ステップＳ５０）で入力したコンテンツを復号化して、ページ情報とページ内位置情報と圧縮画像データとを取り出す（ステップＳ５２。復号化ステップ）。復号化ステップ（ステップＳ５２）で取り出されたページ情報およびページ内位置情報を記載事項情報記録部３２に記録する（ステップＳ５４。記載事項情報保存ステップ）。
【００５７】
復号化ステップ（ステップＳ５２）で取り出された圧縮画像データを展開する（ステップＳ５６。画像展開ステップ）。画像展開ステップ（ステップＳ５６）で展開された画像データを画像情報記録部３３に記録する（ステップＳ５８。画像情報保存ステップ）。ここで、図２に示される記載事項画像データ作成ステップ（ステップＳ２５）により画像データのページ内の記事等を拡大した記事等の画像データを作成した場合、コンテンツ記録部３１に記録された圧縮画像データは、画像データのページ内の記事等を拡大し圧縮した記載事項画像データをさらに含んでいる。このため、復号化ステップ（ステップＳ５２）で取り出された圧縮画像データは記載事項画像データをさらに含むことになり、画像展開ステップ（ステップＳ５６）で展開される圧縮画像データは記載事項画像データをさらに含むことになり、画像情報保存ステップ（ステップＳ５８）で画像情報記録部３３に記録される画像データは記載事項画像データをさらに含むことになる。
【００５８】
記載事項情報記録部３２に記録されたページ情報およびページ内位置情報と、画像情報記録部３３に記録された画像データとに基づき、電子画像化された印刷物に応じた表示形態でこの画像データを表示する（ステップＳ６０。画像表示ステップ）。上述のように、画像情報記録部３３に記録された画像データは、例えば電子新聞であれば、元の新聞紙面そのものであり、電子書籍であれば元の書籍の版面そのものである。したがって、画像表示ステップ（ステップＳ６０）では、例えば電子新聞であれば元の紙面をそのまま表示することができ、電子書籍であれば元の書籍の版面そのものを表示することができる。
【００５９】
画像表示ステップＳ６０により表示された画像データの各ページ内の記事等を選択させることができる（記載事項選択ステップ。ステップＳ６２）。具体的には上述のようにマウス等のポインティング・デバイスにより記事等を選択させることができる。記載事項選択ステップ（ステップＳ６２）で選択させた記事等を所定の枠で囲んで表示することができる（枠表示ステップ。ステップＳ６４）。
【００６０】
枠表示ステップ（ステップＳ６４）で所定の枠で囲んで表示された記事等を拡大して表示することができる（拡大表示ステップ。ステップＳ６６）。この場合、拡大表示ステップ（ステップＳ６６）では、所定の条件に合致する記事等のみを拡大して表示することができる。記載事項情報記録部３２に記録されたページ内位置情報に記事等の内容を識別する記載事項識別子をさらに含ませておくこともできる。この場合、拡大表示ステップ（ステップＳ６６）では、この記載事項識別子に応じて記事等を表示することができる。拡大表示ステップ（ステップＳ６６）では、拡大して表示する記載事項と他の記載事項とを並列的に表示することもできる。図３では記載事項選択ステップ（ステップＳ６２）、枠表示ステップ（ステップＳ６４）および拡大表示ステップ（ステップＳ６６）は一回だけ処理されるように示されている（点線で囲まれたＡの部分）。しかし、上記ステップ（ステップＳ６２、Ｓ６４およびＳ６６）は適宜複数回繰返すことも可能である。
【００６１】
コンテンツ配信サーバ１４から配信された圧縮画像データに、ウェブ・サイトへのリンクをさらに埋め込んでおくこともできる。この場合、画像表示ステップ（ステップＳ６０）および拡大表示ステップ（ステップＳ６６）では、このリンクをアクセス可能に表示することができる。上述のように、例えば電子新聞等の広告記事にリンク等の種々のデータを埋め込んでおくことにより、ユーザ端末２０のユーザは、ウェブ・サイトへのリンクまたは動画コマーシャルの表示等の閲覧を行うことができる。
【００６２】
図４および５は、本発明の実施の形態１におけるコンテンツ記録部１１のフォーマットを示す。図４は記事等毎の拡大画像データである記載事項画像データを作成しない場合のフォーマットを示し、図５は記載事項画像データを作成する場合のフォーマットを示す。図４において、符号４０は記載事項（記事等）画像データを作成しない場合のフォーマット、４２はヘッダ部、４４はページ情報、４６は各ページ（紙面）全体のイメージを示す見開き用画像情報、４８はページ内位置情報を示す。ページ情報４４からページ内位置情報４８までが電子新聞等のページ数分繰り返し記録されている。例えば、ある画像データ（電子新聞等）が１０ページである場合、各ページ情報４４にはページ数として「１０」が記録されると共に各ページについての記事等の数が記録されている。見開き用画像情報４６には１０ページの各ページについての紙面全体の見開き用画像データ（イメージ）が記録されている。ページ内位置情報４８には各ページ内にある記事等のページ内位置情報が記録されている。ヘッダ部４２には、画像データの繰り返し記録されている各ページについて、対応するページ情報４４、見開き用画像情報４６およびページ内位置情報４８へのポインタおよび各々のバイト数等の情報が記録されている。
【００６３】
図５で図４と同じ符号を付した箇所は同じ情報が記録されるため説明は省略する。図５において、符号５０は記載事項（記事等）画像データを作成する場合のフォーマット、５４は各記事等のページ内位置情報と拡大された各記事等の画像との紐付け情報（ポインタ等）、５６および５８は拡大された各記事等の画像データ（記事画像）が記録されている。各記事画像５６等に記録されている画像データは拡大表示用に使用する画像データである。ページ情報４４から記事画像５８までが電子新聞等のページ数分繰り返し記録されている。その他は図４の場合と同様であるため説明は省略する。
【００６４】
図６ないし９は、本発明の実施の形態１における画像表示機能を例示する。図６は、本発明の実施の形態１における画像表示部２７の機能を例示する。図６に示されるように、見開き用画像情報４６に記録された紙面全体の見開き用画像データが左右のウィンドウに表示されている。図６において、符号６１は上述のように左右２画面のウィンドウに分割されている場合の左側のウィンドウ、６３は同様に右側のウィンドウ、６２と６４と６６とは記事等である。例えば、記事等６２は普通の事件記事、記事等６４は写真等、記事等６６は広告である。画像表示部２７は、図６に示されるように、電子新聞等の元の紙面をそのまま見開きの状態で表示することができる。このため、ユーザは元の新聞紙面の全体のレイアウトを容易に確認することができる。但し、上述の見開きの状態では記事等６２の中の細部の文字は小さく表示されるため、ユーザは見出し程度は見ることができるが本文自体を見ることはできない。
【００６５】
図７は、本発明の実施の形態１における記載事項選択部２８および枠表示部２９の機能を例示する。図７で図６と同じ符号を付した箇所は同じ要素を示すため説明は省略する。図７に示されるように、見開き用画像情報４６に記録された紙面全体の見開き用画像データが左右のウィンドウ６１および６３に表示されている。図７において、符号６２ａは記事等６２が選択された際に表示される枠、ＡないしＥは記事等６２の枠を構成する頂点である。マウス等のポインティング・デバイスのカーソルが記事等６２の領域上へ移動することにより、記載事項選択部２８は記事等６２を選択させる。枠表示部２９は、記載事項選択部２８で選択させた記事等６２を枠６２ａで囲んで表示することができる。記事等６２が所定の条件に合致し拡大表示可能である場合、枠６２ａは例えば青色で表示することができる。記事等６４が所定の条件に合致しない場合、カーソルが記事等６４の領域内に入っても、記事等６４は青色の枠で囲まれて表示されない。
【００６６】
図８は、本発明の実施の形態１における拡大表示部３０の機能を例示する。図８で図６または７と同じ符号を付した箇所は同じ要素を示すため説明は省略する。図８に示されるように、左側のウィンドウ６１に拡大された記事等６２ｂが表示され、右側のウィンドウ６３に見開き用画像情報４６に記録された紙面全体の見開き用画像データの一部が表示されている。拡大表示部３０は、右側のウィンドウ６３において枠６２ａにより囲んで表示された記事等６２を、左側のウィンドウ６１において拡大して表示することができる。図８に示されるように、拡大表示部３０は、拡大して表示する記事等６２ｂと他の記事等６２、６３、６４および６６等とを左右のウィンドウに並列的に表示することができる。記事等６２が拡大されて左側のウィンドウ６１に表示されている間、右側のウィンドウ６３の枠６２ａの色は青色から赤色へ替えることができる。これにより、現在拡大表示されている記事等を右側のウィンドウ６３において容易に判別することができる。記事等６２が普通の事件記事である場合、記事等６２の右上の頂点Ｂが左側のウィンドウの右上に合うように拡大して表示することができる。
【００６７】
図９は、本発明の実施の形態１における拡大表示部３０の他の機能を例示する。図９で図６ないし８と同じ符号を付した箇所は同じ要素を示すため説明は省略する。図９に示されるように、左側のウィンドウ６１に見開き用画像情報４６に記録された紙面全体の見開き用画像データ（記事等７２および枠７２ａ）が表示され、右側のウィンドウ６３に拡大された記事等７２ｂが表示されている。図９で、符号７５はカーソルの位置を示す。図９に示されるように、左側のウィンドウ６１に見開き用画像データを表示し、右側のウィンドウ６３に拡大された記事等を表示することもできる。記事等７２がテレビ等の番組表または株価欄等である場合、左側のウィンドウ６１における現在のカーソルの位置７５を中心にして右側のウィンドウ６３に拡大して表示することができる。
【００６８】
以上より、本発明の実施の形態１によれば、テキストデータではなく元の新聞紙面そのものの画像データまたは元の書籍の版面そのものの画像データを画像情報記録部３３に記録しておき、この画像データに基づいてコンテンツを作成することができる。この結果、コンテンツを表示する画像表示部２７は、例えば電子新聞であれば元の紙面をそのまま見開きの状態で表示することができるため、ユーザは元の新聞紙面の全体のレイアウトを容易に確認することができる。電子書籍であれば元の書籍の版面そのものを表示することができるため、ユーザは元の書籍の版面の全体のレイアウトを容易に確認することができる。したがって、ユーザが電子新聞または電子書籍等を見ただけで、一瞬にしてそれが新聞であるのか小説等であるのかの区別をつけることができる。
【００６９】
上述のように、コンテンツを表示する画像表示部２７は、例えば電子新聞であれば元の紙面をそのまま見開きの状態で表示することができるため、電子新聞または電子書籍等のコンテンツに、読者の読みやすさを追及した編集作業の結果を反映することができ、編集作業の結果としてのレイアウトを反映することができる。
【００７０】
実施の形態２．
上述の説明では、印刷物を新聞とし、電子画像化された画像データを電子新聞等とし、記載事項を記事とし、ページ内位置情報を記事等の版組上の位置情報として説明した。しかし、印刷物は他の書籍であってもよい。
【００７１】
印刷物としては、講演会または授業等で使用する文献または資料であってもよい。この場合、本発明のコンテンツ作成プログラム等により文献または資料からコンテンツを作成しておくことができる。講演会または授業等の際に、本発明のコンテンツ表示プログラム等により聴衆または生徒が当該コンテンツを閲覧することができる。閲覧は講師の操作により一斉に行うこともできる。
【００７２】
印刷物としては、通信販売用カタログまたはカラオケ曲目集であってもよい。この場合、本発明のコンテンツ作成プログラム等により通信販売用カタログまたはカラオケ曲目集からコンテンツを作成しておくことができる。上述のウェブ・サイトへのリンクを埋め込む機能を使用することにより、コンテンツを閲覧しているユーザが指定した商品名または曲名をウェブ・サイトへ直接送ることができる。著作権の契約等で許諾されていない曲は、タイトルのみ表示し内容は拡大表示させないようにすることができる。この結果、カラオケ曲目集等において著作権等を有効に保護することもできる。
【００７３】
印刷物としては、建築図面等の図面であってもよい。この場合、本発明のコンテンツ作成プログラム等により図面からコンテンツを作成しておくことができる。建築現場では大きい図面は折り畳み使用せざるを得ないため、扱いにくくかつ図面が傷んで重要な数字を読取ることが困難となる。しかし、本発明のコンテンツ表示プログラムがインストールされた携帯情報端末は、持ち運びが容易であり拡大表示も自由にできるため、建築現場においても容易に使用することができる。
【００７４】
実施の形態３．
図１０は、上述した各実施の形態を実現するための本発明のコンピュータ・プログラムを実行するコンテンツ作成サーバ２のコンピュータまたはユーザ端末２０側のコンピュータの内部回路を示すブロック図である。本実施の形態３においては、図１０により各コンピュータに共通する基本的な内部回路１００を簡単に説明する。図１０において、上述の本発明のコンピュータ・プログラムは、ＲＯＭ８２、ディスク８７またはＣＤ−ＲＯＭ８６等の記録媒体に記録されている。このコンピュータ・プログラムは、ＲＯＭ８２、ディスク８７またはＣＤ−ＲＯＭ８６等の記録媒体からコントローラ８５を介しバス８４を通ってＲＡＭ８３へロードされる。入力操作部８９は上記各コンピュータに入力を行うためのマウスまたはキーボード等の入力機器であり、入力制御部８８は入力操作部８９と接続され入力制御等を行う。外部インタフェース（Ｉ／Ｆ）部９１は、例えばルータ１５等を介してネットワーク３５と通信を行う際のインタフェース機能を有する。
【００７５】
ＣＰＵ８１はＲＡＭ８３内のコンピュータ・プログラムを実行することにより、コンテンツを作成すること、またはコンテンツを表示させることができる。上述のようにＣＰＵ８１が上述の本発明のコンピュータ・プログラムを実行することにより、本発明の目的を達成することができる。当該コンピュータ・プログラムは上述のようにＣＤ−ＲＯＭ８６等の脱着可能な記録媒体の形態でコンピュータＣＰＵ８１に供給することができ、当該コンピュータ・プログラムを記録したＣＤ−ＲＯＭ８６等の記録媒体も同様に本発明を構成することになる。当該コンピュータ・プログラムを記録した記録媒体としては上述された記録媒体の他に、例えばＤＶＤ、光ディスク、メモリ・カード、ＦＤ等を用いることができる。
【００７６】
コンテンツ表示プログラム２１は、ユーザ端末２０のユーザがＣＤ−ＲＯＭ８６等の記録媒体の形態で入手して、ユーザ端末２０上にインストールすることができる。あるいは新聞社・出版社側センタ１に、コンテンツ表示プログラム２１とコンテンツ表示プログラム２１のインストーラ（不図示）とをユーザ端末２０から取得（ダウンロード）可能な状態に置くこともできる。この結果、ユーザは、コンテンツ表示プログラム２１を新聞社・出版社側センタ１からネットワーク３５を介してダウンロードし、ユーザ端末２０上にコンテンツ表示プログラム２１をインストールすることもできる。
【００７７】
【発明の効果】
以上説明したように、本発明のコンテンツ作成プログラムおよび方法、コンテンツ表示プログラムおよび方法によれば、テキストデータではなく元の新聞紙面そのものの画像データまたは元の書籍の版面そのものの画像データを画像情報記録部３３に記録しておき、この画像データに基づいてコンテンツを作成することができる。この結果、コンテンツを表示する画像表示部２７は、例えば電子新聞であれば元の紙面をそのまま見開きの状態で表示することができるため、ユーザは元の新聞紙面の全体のレイアウトを容易に確認することができる。電子書籍であれば元の書籍の版面そのものを表示することができるため、ユーザは元の書籍の版面の全体のレイアウトを容易に確認することができる。したがって、ユーザが電子新聞または電子書籍等を見ただけで、一瞬にしてそれが新聞であるのか小説等であるのかの区別をつけることができる。
【００７８】
コンテンツを表示する画像表示部２７は、例えば電子新聞であれば元の紙面をそのまま見開きの状態で表示することができるため、電子新聞または電子書籍等のコンテンツに、読者の読みやすさを追及した編集作業の結果を反映することができ、編集作業の結果としてのレイアウトを反映することができる。
【図面の簡単な説明】
【図１】本発明の実施の形態１におけるコンテンツ作成プログラムまたは方法、コンテンツ表示プログラムまたは方法を実行する環境の概要を示す図である。
【図２】本発明の実施の形態１におけるコンテンツ作成プログラムまたは方法の処理を示すフローチャートである。
【図３】本発明の実施の形態１におけるコンテンツ表示プログラムまたは方法の処理を示すフローチャートである。
【図４】本発明の実施の形態１におけるコンテンツ記録部１１のフォーマットを示す図である。
【図５】本発明の実施の形態１におけるコンテンツ記録部１１のフォーマットを示す図である。
【図６】本発明の実施の形態１における画像表示部２７の機能を例示する図である。
【図７】本発明の実施の形態１における記載事項選択部２８および枠表示部２９の機能を例示する図である。
【図８】本発明の実施の形態１における拡大表示部３０の機能を例示する図である。
【図９】本発明の実施の形態１における拡大表示部３０の他の機能を例示する図である。
【図１０】本発明のコンピュータ・プログラムを実行するコンテンツ作成サーバ２のコンピュータまたはユーザ端末２０側のコンピュータの内部回路を示すブロック図である。
【符号の説明】
１　新聞社・出版社側センタ、　２　コンテンツ作成サーバ、　３　コンテンツ作成プログラム、　４　ページ情報入力部、　５　ページ内位置情報入力部、６　画像データ入力部、　７　圧縮画像化部、　８　暗号化部、　９　コンテンツ保存部、　１０　記載事項画像データ作成部、　１１，３１　コンテンツ記録部、　１２，３３　画像情報記録部、　１３　記事情報ＤＢ、　１４　コンテンツ配信サーバ、　１５　ルータ、　２０　ユーザ端末、　２１　コンテンツ表示プログラム、　２２　コンテンツ入力部、　２３　復号化部、　２４　記載事項情報保存部、　２５　画像展開部、　２６　画像情報保存部、　２７　画像表示部、　２８　記載事項選択部、　２９　枠表示部、　３０　拡大表示部、　３２　記載事項情報記録部、　３４　Ｉ／Ｆ部、　３５　ネットワーク、　３６，３７　ノード、　４０，５０　コンテンツ記録部１１のフォーマット、　４２　ヘッダ部、　４４　ページ情報、　４６　見開き用画像情報、　４８，５４　ページ内位置情報、　５６，５８　記事画像、　６１　左側のウィンドウ、　６２，６４，６６，７２　記事等、　６２ａ，７２ａ　枠、　６２ｂ，７２ｂ　拡大された記事等、　６３　右側のウィンドウ、　７５　カーソルの位置、　８１　ＣＰＵ、　８２　ＲＯＭ、　８３　ＲＡＭ、　８４、　バス、　８５　コントローラ、　８６　ＣＤ−ＲＯＭ（記録媒体）、　８７　ディスク、　８８　入力制御部、　８９　入力操作部、　１００　内部回路。
【図１】
2004094410.tif 000003
【図２】
2004094410.tif 000004
【図３】
2004094410.tif 000005
【図４】
2004094410.tif 000006
【図５】
2004094410.tif 000007
【図６】
2004094410.tif 000008
【図７】
2004094410.tif 000009
【図８】
2004094410.tif 000010
【図９】
2004094410.tif 000011
【図１０】
2004094410.tif 000012